(57)【要約】【課題】インデューサの羽根を簡単に多翼化でき、送風効率を向上させることができるとともに、低騒音な電動送風機のインペラ及びそれを備えた電動送風機及び電気掃除機の提供。【解決手段】前面シュラウドと、後面シュラウドと、前面シュラウド及び後面シュラウドによって挟持される複数枚のブレードと、後面シュラウドの中央部に設けられており、前面シュラウド側に設けられた上部インデューサと後面シュラウド側に設けられた下部インデューサとからなるインデューサと、を有するインペラ及びそれを備えた電動送風機及び電気掃除機。【選択図】図２
2012012937.tif 000002
【特許請求の範囲】
【請求項１】
中央部に第１の開口部を有する前面シュラウドと、前記前面シュラウドと間隔をおいて配置される後面シュラウドと、前記前面シュラウド及び前記後面シュラウドによって挟持されており、前記後面シュラウドの中央部から前記後面シュラウドの外周に向かって伸びる複数枚のブレードと、前記後面シュラウドの中央部に設けられており、前記前面シュラウド側に設けられた上部インデューサと前記後面シュラウド側に設けられた下部インデューサとからなるインデューサと、を有するインペラ。
【請求項２】
前記インデューサは、前記前面シュラウドと前記後面シュラウドとで挟持されている
請求項１に記載のインペラ。
【請求項３】
前記インデューサは、前記後面シュラウドに平行な面で前記上部インデューサと前記下部インデューサとに分割されている請求項１または２に記載のインペラ。
【請求項４】
前記上部インデューサは、中央部に第２の開口部を有するリング部と、前記リング部から前記インデューサの外周側に向かって伸びる複数枚の第１の羽根部と、から構成されており、前記下部インデューサは、前記後面シュラウドに取付けられる土台部と、前記土台部の中央部から前記土台部の外周側に向かって伸びる複数枚の第２の羽根部と、前記土台部の中央部から前記上部インデューサ側に向かって伸びるとともに、前記リング部と嵌合する軸部と、から構成されている請求項１〜３のうちの何れか１項に記載のインペラ。
【請求項５】
前記前面シュラウドの前記第１の羽根部及び前記第２の羽根部と当接する位置には、前記前面シュラウドの全周に亘って溝部が設けられている請求項４に記載のインペラ。
【請求項６】
前記第１の羽根部及び前記第２の羽根部のうちの少なくとも一方には、前記第１の羽根部及び前記第２の羽根部から前記前面シュラウド側に向かって伸びる突起部が設けられており、前記前面シュラウドには、前記突起部と嵌合する孔部が設けられており、前記インデューサは、前記突起部が前記孔部に挿入され、前記突起部が溶着されることで前記前面シュラウドに固定される請求項４または５に記載のインペラ。
【請求項７】
前記下部インデューサの前記軸部には、前記上部インデューサの前記リング部と嵌合する爪部が設けられている請求項４〜６のうちの何れか１項に記載のインペラ。
【請求項８】
電動機と、請求項１〜７のうちの何れか１項に記載のインペラと、を有する電動送風機。
【請求項９】
請求項８に記載の電動送風機を内蔵する掃除機本体と、被清掃面の塵埃を吸引する吸込具と、を有する電気掃除機。
【発明の詳細な説明】
【技術分野】
【０００１】
本発明は、インペラ、及びそれを備えた電動送風機及び電気掃除機に関する。
【背景技術】
【０００２】
従来、電気掃除機に使用される電動送風機のインペラにおいては、電動送風機の送風性能（吸込み性能）を向上させるべく、吸気口を有する前面シュラウドと、この前面シュラウドと間隔を置いて配置された後面シュラウドと、前面シュラウド及び後面シュラウドによって挟持された複数枚のブレードと、前面シュラウドの吸気口側に設けられ、吸気気流を整流するインデューサとを備え、インデューサの羽根部及びブレードが複数枚設けられた構成が提案されている（例えば、特許文献１参照）。
【０００３】
すなわち、図１１に示すように、インペラ３２１は、板金製の後面シュラウド３２２と、後面シュラウド３２２と間隔を置いて配置されており、中央に吸気口３２３ａが設けられた前面シュラウド３２３と、後面シュラウド３２２及び前面シュラウド３２３で挟持された複数枚の板金製ブレード３２４と、吸気口３２３ａに対応して設けた樹脂製インデューサ３２５から構成されている。樹脂製インデューサ３２５は、略円錐状のハブ３２５ｂとそのハブ３２５ｂ上に形成される羽根部３２５ａから構成されており、特に吸気口３２３ａから板金製ブレード３２４側へ流れる空気を整流するため、羽根部３２５ａの形状は三次元的曲面を持った形状とされている。
【０００４】
また、図１２（ａ）及び（ｂ）に示すように、樹脂製インデューサ３２５は、羽根部３２５ａの外周方向へ略放射状にスライドする側方スライド金型３３１を用いた樹脂成型加工によって作成されている。成型金型は、羽根部３２５ａと同数の側方スライド金型３３１と１個ずつの上方スライド金型３３２及び下方スライド金型３３３とから構成されている。
【先行技術文献】
【特許文献】
【０００５】
【特許文献１】特開２０００−４５９９３号公報
【発明の概要】
【発明が解決しようとする課題】
【０００６】
しかしながら、上記従来の電動送風機のインペラにおいては、電動送風機の送風性能（吸込み性能）を向上させるという観点からは未だ改善の余地があった。
【０００７】
すなわち、上記従来の電動送風機のインペラにおいては、例えば、送風効率（吸込み性能）を向上させるには、インデューサ羽根部及びブレードの枚数は６枚が最適であるとされているが、風量及び回転数によっては、インデューサ羽根部及びブレードの枚数が６枚以上の多翼である方が、送風効率が向上する場合があった。
【０００８】
また、一般的に、電動送風機が発する騒音の一種である高周波音は、インペラの羽根の枚数（インデューサ羽根部及びブレードの枚数）と回転数との積の整数倍の周波数で顕著に発生することが知られている。そのため、羽根の枚数が少ない場合、電動送風機が発する高周波音の周波数が使用者に比較的聞こえやすい周波数帯域となり、使用者に耳障りな音として聞こえ、使用者に不快感を与える場合があった。この高周波音を低減する方法としては、インペラの羽根の枚数を増やすことにより、高周波音の周波数を使用者に聞こえやすい周波数帯域から遠ざけることで、耳障りで不快な音を低減する方法が考えられてい
る。
【０００９】
しかしながら、上記従来の電動送風機のインペラのインデューサの成形方法では、インペラの羽根の枚数が６枚以上で、かつ、隣接するインデューサ羽根部の前面シュラウド側の端面とインデューサ羽根部のブレード側の端面が互いに重なり合う場合は成形が困難であった。
【００１０】
本発明は、上記従来技術の有する課題に鑑みて成されたものであり、インデューサの羽根を簡単に多翼化でき、送風効率を向上させることができるとともに、低騒音な電動送風機のインペラ及びそれを備えた電動送風機及び電気掃除機を提供することを目的とする。
【課題を解決するための手段】
【００１１】
上記従来技術の有する課題を解決するために、本発明は、中央部に第１の開口部を有する前面シュラウドと、前面シュラウドと間隔をおいて配置される後面シュラウドと、前面シュラウド及び後面シュラウドによって挟持されており、後面シュラウドの中央部から後面シュラウドの外周に向かって伸びる複数枚のブレードと、後面シュラウドの中央部に設けられており、前面シュラウド側に設けられた上部インデューサと後面シュラウド側に設けられた下部インデューサとからなるインデューサと、を有するインペラを提供する。
【００１２】
上述のように、本発明のインペラにおいては、インデューサが前面シュラウド側に設けられた上部インデューサと後面シュラウド側に設けられた下部インデューサとに分割されているものである。
【００１３】
これにより、インデューサを簡単に多翼化することができ、送風効率を向上させることができるとともに、低騒音化を実現することができる。
【発明の効果】
【００１４】
本発明のインペラによれば、インデューサを簡単に多翼化することができ、送風効率を向上させることができるとともに、低騒音化を実現することができるようになる。
【図面の簡単な説明】
【００１５】
【図１】本発明のインペラの実施の形態１を備えた電動送風機の一部断面図
【図２】本発明のインペラの実施の形態１における一部断面図
【図３】本発明のインペラの実施の形態１における分解図
【図４】本発明のインペラの実施の形態１における断面図
【図５】（ａ）本発明のインペラの実施の形態１における下部インデューサの金型構成図、（ｂ）図５（ａ）に示した下部インデューサ及び金型構成の断面図
【図６】（ａ）本発明のインペラの実施の形態１における上部インデューサの平面図、（ｂ）本発明のインペラの実施の形態１における上部インデューサの金型構成図
【図７】本発明のインペラの実施の形態２における断面図
【図８】本発明のインペラの実施の形態３における断面図
【図９】本発明のインペラの実施の形態４におけるインデューサの断面図
【図１０】本発明のインペラを備えた電気掃除機の概要図
【図１１】従来のインペラを示す一部断面図
【図１２】（ａ）従来のインペラのインデューサ成型時の金型動作を示す平面図、（ｂ）従来のインペラのインデューサ成型時の金型動作を示す側面図
【発明を実施するための形態】
【００１６】
第１の発明は、中央部に第１の開口部を有する前面シュラウドと、前面シュラウドと間隔をおいて配置される後面シュラウドと、前面シュラウド及び後面シュラウドによって挟
持されており、後面シュラウドの中央部から後面シュラウドの外周に向かって伸びる複数枚のブレードと、後面シュラウドの中央部に設けられており、前面シュラウド側に設けられた上部インデューサと後面シュラウド側に設けられた下部インデューサとからなるインデューサと、を有するインペラとしたものである。
【００１７】
これにより、インデューサを簡単に多翼化することができ、送風効率を向上させることができるとともに、低騒音化を実現することができる。
【００１８】
第２の発明は、特に第１の発明において、インデューサは、前面シュラウドと後面シュラウドとで挟持されている構成としたものである。
【００１９】
これにより、インデューサを簡単な構成で確実に保持することができ、インデューサの多翼化を容易に実現することができ、送風効率を向上させることができるとともに、低騒音化を実現することができる。
【００２０】
第３の発明は、特に第１または第２の発明において、インデューサは、後面シュラウドに平行な面で上部インデューサと下部インデューサとに分割されている構成としたものである。
【００２１】
これにより、インデューサが前面シュラウド及び後面シュラウドによって挟持される際にインデューサにかかる力のベクトルが、上部インデューサと下部インデューサとの分割面に均等に加わるため、前面シュラウド及び後面シュラウドによってインデューサをより確実に保持することができる。
【００２２】
第４の発明は、特に第１〜第３の発明において、上部インデューサは、中央部に第２の開口部を有するリング部と、リング部からインデューサの外周側に向かって伸びる複数枚の第１の羽根部と、から構成されており、下部インデューサは、後面シュラウドに取付けられる土台部と、土台部の中央部から土台部の外周側に向かって伸びる複数枚の第２の羽根部と、土台部の中央部から上部インデューサ側に向かって伸びるとともに、リング部と嵌合する軸部と、から構成されている構成としたものである。
【００２３】
これにより、上部インデューサと下部インデューサとを簡単な構成でより確実に保持させることができる。
【００２４】
第５の発明は、特に第４の発明において、前面シュラウドの第１の羽根部及び第２の羽根部と当接する位置には、前面シュラウドの全周に亘って溝部が設けられている構成としたものである。
【００２５】
これにより、インデューサを簡単な構成でより確実に保持することができ、インデューサの多翼化を容易に実現することができ、送風効率を向上させることができるとともに、低騒音化を実現することができる。
【００２６】
第６の発明は、特に第４または第５の発明において、第１の羽根部及び第２の羽根部のうちの少なくとも一方には、第１の羽根部及び第２の羽根部から前面シュラウド側に向かって伸びる突起部が設けられており、前面シュラウドには、突起部と嵌合する孔部が設けられており、インデューサは、突起部が孔部に挿入され、突起部が溶着されることで前面シュラウドに固定される構成としたものである。
【００２７】
これにより、インデューサを簡単な構成でより確実に保持することができ、インデューサの多翼化を容易に実現することができ、送風効率を向上させることができるとともに、
低騒音化を実現することができる。
【００２８】
第７の発明は、特に第４〜第６の発明において、下部インデューサの軸部には、上部インデューサのリング部と嵌合する爪部が設けられている構成としたものである。
【００２９】
これにより、上部インデューサを下部インデューサに軸方向でより確実に保持させることができる。
【００３０】
第８の発明は、電動機と、請求項１〜７のうちの何れか１項に記載のインペラと、を有する電動送風機としたものである。
【００３１】
これにより、吸込み性能が高く、低騒音な電動送風機を実現することができる。
【００３２】
第９の発明は、請求項８に記載の電動送風機を内蔵する掃除機本体と、被清掃面の塵埃を吸引する吸込具と、を有する電気掃除機としたものである。
【００３３】
これにより、吸込み性能が高く、低騒音な電気掃除機を実現することができる。
【００３４】
以下、図面を参照しながら本発明のインペラの好適な実施の形態について説明する。なお、以下の説明では、同一または相当部分には同一符号を付し、重複する説明は省略する。
【００３５】
（実施の形態１）
本発明のインペラの実施の形態１について、図１〜図４を用いて説明する。
【００３６】
図１は、本発明のインペラの実施の形態１を備えた電動送風機の一部断面図である。また、図２は、本発明のインペラの実施の形態１における一部断面図である。さらに、図３は、本発明のインペラの実施の形態１における分解図である。また、図４は、本発明のインペラの実施の形態１における断面図である。
【００３７】
図１に示すように、電動送風機１００は、主として、気流（吸引風）を発生させるインペラ１と、インペラ１の外周に対向して配置されており、インペラ１から放出された気流を整流するエアガイド２と、インペラ１及びエアガイド２を内包するファンケース３と、インペラ１を回転駆動する電動機４と、電動機４の外周に設けられており、ファンケース３が気密に取付けられる反負荷側ブラケット６とから構成されている。インペラ１は、電動機４の軸５に軸支されている。また、反負荷側ブラケット６には、インペラ１により吸引された空気を排気する排気開口部７が設けられている。
【００３８】
図２〜４に示すように、インペラ１は、中央部に第１の開口部である吸気口２０ａが設けられた前面シュラウド２０と、前面シュラウド２０と間隔を置いて配置される後面シュラウド２１と、前面シュラウド２０及び後面シュラウド２１によって挟持されており、後面シュラウド２１の中央部から後面シュラウド２１の外周に向かって伸びる複数枚のブレード２２と、後面シュラウド２１の中央部に設けられたインデューサ２３とから構成されている。インデューサ２３は、前面シュラウド２０及び後面シュラウド２１により挟持されている。
【００３９】
ブレード２２の前面シュラウド２０及び後面シュラウド２１に当接する面には、複数の嵌合突起部２２ａ、２２ｂが設けられている。また、前面シュラウド２０及び後面シュラウド２１には、嵌合突起部２２ａ、２２ｂと嵌合する複数の嵌合孔部２０ｂ、２１ａが設けられている。ブレード２２は、嵌合突起部２２ａ、２２ｂを嵌合孔部２０ｂ、２１ａに
挿入し加締め加工することにより、前面シュラウド２０及び後面シュラウド２１に取付けられる。
【００４０】
インデューサ２３は、後面シュラウド２１に平行な面、すなわち、電動機４の軸５に垂直な面で、前面シュラウド２０側に設けられた上部インデューサ２４と後面シュラウド２１側に設けられた下部インデューサ２７とに分割されている。また、インデューサ２３は、隣接するインデューサ２３の羽根部（図示せず）の前面シュラウド２０側の端面Ｐ１とインデューサ２３の羽根部（図示せず）のブレード２２側の端面Ｐ２が互いに重なり合う形状とされており、従来のインデューサの成形方法では成形が困難な形状となっている。
【００４１】
図３及び４に示すように、上部インデューサ２４は、中央部に第２の開口部２５ａを有するリング部２５と、リング部２５からインデューサ２３の外周側に向かって伸びる複数枚の第１の羽根部２６と、から構成されている。また、下部インデューサ２７は、後面シュラウド２１に取付けられる略円錐状の土台部２８と、土台部２８の中央部から土台部２８の外周側に向かって伸びる複数枚の第２の羽根部２９と、土台部２８の中央部から上部インデューサ２４側に向かって伸びるとともに、リング部２５と嵌合する軸部３０と、から構成されている。
【００４２】
下部インデューサ２７の中心部及び後面シュラウド２１の中心部には、電動機４の軸５と嵌合する第３の開口部２７ａ及び第４の開口部２１ｂが設けられている。インペラ１は、電動機４の軸５が第３の開口部２７ａ及び第４の開口部２１ｂに挿入され、軸支されることで電動機４によって回転駆動される。
【００４３】
下部インデューサ２７の軸部３０の土台部２８側の端部には、凸部３０ａが形成されている。また、上部インデューサ２４のリング部２５の下部インデューサ２７側の端部には、凸部３０ａと嵌合する凹部２５ｂが形成されている。上部インデューサ２４は、凸部３０ａ及び凹部２５ｂにより下部インデューサ２７に位置決めされ取付けられる。
【００４４】
上部インデューサ２４及び下部インデューサ２７は、上部インデューサ２４のリング部２５が下部インデューサ２７の軸部３０に嵌合し下部インデューサ２７に位置決めされ取付けられることで、インデューサ２３を形成している。また、上部インデューサ２４の第１の羽根部２６と下部インデューサ２７の第２の羽根部２９とにより、インデューサ２３の羽根部（図示せず）が構成されている。
【００４５】
上部インデューサ２４のリング部２５及び下部インデューサ２７の軸部３０は、上部インデューサ２４が下部インデューサ２７に取付けられた状態において、上部インデューサ２４のリング部２５の外周側の面Ｐ３と下部インデューサ２７の土台部２８の前面シュラウド２０側の面Ｐ４とが同一面となるように形成されている。
【００４６】
ここで、本実施の形態においては、上部インデューサ２４の第１の羽根部２６の枚数、下部インデューサ２７の第２の羽根部２９の枚数、及びブレード２２の枚数は、電動送風機１００の風量及びインペラ１の回転数の観点から９枚としている。また、本実施の形態においては、前面シュラウド２０、後面シュラウド２１、及びブレード２２は金属で形成されており、インデューサ２３は樹脂で形成されている。
【００４７】
以上のように構成されたインデューサ２３の成形方法について、図５及び図６を用いて説明する。
【００４８】
図５（ａ）は、本発明のインペラの実施の形態１における下部インデューサの金型構成図、図５（ｂ）は、図５（ａ）に示した下部インデューサ及び金型構成の断面図である。
また、図６（ａ）は、本発明のインペラの実施の形態１における上部インデューサの平面図、図６（ｂ）は、本発明のインペラの実施の形態１における上部インデューサの金型構成図である。
【００４９】
図５（ａ）及び（ｂ）に示すように、下部インデューサ２７の金型は、４０度角間隔で構成された９方向のスライド金型３１と、下部インデューサ２７を上方から成形するコア３２と、下部インデューサ２７を下方から成形するキャビティ３３と、から構成されている。インデューサ２３は、隣接するインデューサ２３の羽根部（図示せず）の前面シュラウド２０側の端面Ｐ１とインデューサ２３の羽根部（図示せず）のブレード２２側の端面Ｐ２が互いに重なり合わないように、上部インデューサ２４と下部インデューサ２７との２部品に分割されているので、この金型構造により、成形可能な形状となっている。
【００５０】
また、図６（ａ）及び（ｂ）に示すように、上部インデューサ２４の金型は、上部インデューサ２４を上方から成形するコア３２と、上部インデューサ２４を下方から成形するキャビティ３３と、から構成されている。
【００５１】
以上のように、インデューサ２３は、従来のインデューサの構成及び成形方法では多翼化させることが困難であったが、本実施の形態に示すように、インデューサ２３を上部インデューサ２４と下部インデューサ２７との２部品に分割することにより、それぞれが成形可能となり、インペラ１の組立て時に、この２部品を組み合わせることで、多翼化の形状を実現することが可能となる。そのため、インデューサ２３を簡単に多翼化することができ、電動送風機１００の送風効率を向上させることができるとともに、低騒音化を実現することができる。また、インデューサ２３は、前面シュラウド２０と後面シュラウド２１とで挟持されているため、インデューサ２３を簡単な構成で確実に保持することができ、インデューサ２３の多翼化を容易に実現することができ、電動送風機１００の送風効率を向上させることができるとともに、低騒音化を実現することができる。
【００５２】
（実施の形態２）
本発明のインペラの実施の形態２について、図７を用いて説明する。なお、上述した実施の形態１と同一構成部品については同一符号を付して、その説明を省略する。
【００５３】
図７は、本発明のインペラの実施の形態２における断面図である。
【００５４】
図７に示すように、前面シュラウド２０の第１の羽根部２６及び第２の羽根部２９と当接する位置には、第１の羽根部２６及び第２の羽根部２９の前面シュラウド２０と当接する端面と略同一形状かつ同一幅の溝部３４が全周に亘って設けられている。
【００５５】
これにより、インデューサ２３を簡単な構成でより確実に前面シュラウド２０に保持させることができるとともに、インデューサ２３の成形時に生じる内部応力等により発生する第１の羽根部２６及び第２の羽根部２９の反り変形を、前面シュラウド２０の溝部３４により矯正することができる。そのため、インデューサ２３の多翼化を容易に実現することができ、電動送風機１００の送風効率を向上させることができるとともに、低騒音化を実現することができる。
【００５６】
（実施の形態３）
本発明のインペラの実施の形態３について、図８を用いて説明する。なお、上述した実施の形態１及び実施の形態２と同一構成部品については同一符号を付して、その説明を省略する。
【００５７】
図８は、本発明のインペラの実施の形態３における断面図である。
【００５８】
図８に示すように、第２の羽根部２９には、第２の羽根部２９の前面シュラウド２０と当接する端面から前面シュラウド２０側に向かって伸びる突起部２９ａが設けられている。また、前面シュラウド２０の突起部２９ａと相対する位置には、突起部２９ａと嵌合する孔部２０ｃが設けられている。インデューサ２３は、第２の羽根部２９の突起部２９ａが前面シュラウド２０の孔部２０ｃに挿入され溶着されることで前面シュラウド２０に固定されている。
【００５９】
これにより、インデューサ２３を簡単な構成でより確実に前面シュラウド２０に保持させることができるため、インデューサ２３の多翼化を容易に実現することができ、電動送風機１００の送風効率を向上させることができるとともに、低騒音化を実現することができる。
【００６０】
ここで、本実施の形態においては、突起部２９ａが第２の羽根部２９に設けられている構成について説明したが、突起部２９ａは第１の羽根部２６に設けられていてもよく、また、第１の羽根部２６及び第２の羽根部２９の両方に設けられていてもよい。これらの構成においても、インデューサ２３を簡単な構成でより確実に前面シュラウド２０に保持させることができるため、インデューサ２３の多翼化を容易に実現することができ、電動送風機１００の送風効率を向上させることができるとともに、低騒音化を実現することができる。
【００６１】
（実施の形態４）
本発明の実施の形態４について、図９を用いて説明する。なお、上述した実施の形態１〜実施の形態３と同一構成部品については同一符号を付して、その説明を省略する。
【００６２】
図９は、本発明のインペラの実施の形態４におけるインデューサの断面図である。
【００６３】
図９に示すように、下部インデューサ２７の軸部３０の前面シュラウド２０側の端部には、上部インデューサ２４のリング部２５の前面シュラウド２０側の端面と係合する爪部３０ｂが設けられている。
【００６４】
これにより、上部インデューサ２４を下部インデューサ２７に軸方向でより確実に保持させることができるため、インデューサ２３の多翼化を容易に実現することができ、電動送風機１００の送風効率を向上させることができるとともに、低騒音化を実現することができる。
【００６５】
（実施の形態５）
本発明の実施の形態５について、図１０を用いて説明する。なお、上述した実施の形態１〜実施の形態４と同一構成部品については同一符号を付して、その説明を省略する。
【００６６】
図１０は、本発明のインペラを備えた電気掃除機の概要図である。
【００６７】
図１０に示すように、電気掃除機２００は、掃除機本体２０１と、被清掃面の塵埃を吸引する吸込具２０２と、一端が掃除機本体２０１に接続されるホース２０３と、一端がホース２０３に接続され、他端が吸込具２０２に接続される延長管２０４と、から構成されている。ホース２０３の延長管２０４側の端部には、手元操作部２０５が設けられている。
【００６８】
掃除機本体２０１は、上述した実施の形態１〜４のうちの何れか１つに記載のインペラ１を有するとともに吸引風を発生する電動送風機１００と、電動送風機１００の上流側に
配置されており、塵埃を捕集する集塵部２０６と、から構成されている。
【００６９】
以上のように構成された電気掃除機について、以下その動作、作用を説明する。
【００７０】
使用者が手元操作部２０５を保持し電気掃除機２００の運転を開始すると、電動送風機１００によって吸引風が発生し吸引力が発生する。この状態で、使用者が被清掃面上で吸込具２０２を動かすと、吸込具２０２から被清掃面上の塵埃が空気とともに吸引される。吸引された塵埃及び空気は、延長管２０４及びホース２０３を介して集塵部２０６へと流れ込み、集塵部２０６で塵埃と空気とが分離され、塵埃のみが集塵部２０６で捕集される。塵埃が分離された後の空気は、電動送風機１００で吸引され、電動送風機１００内部を通過し、その後、掃除機本体２０１内部を通過し掃除機本体２０１の外部へと輩出される。
【００７１】
このとき、本実施の形態においては、電気掃除機２００は上述した実施の形態１〜４のうちの何れか１つに記載のインペラ１を有する電動送風機１００を内蔵しているため、吸込み性能が高く、低騒音な電気掃除機を実現することができ、使用者は快適な掃除を行うことができる。
【００７２】
以上、本発明の実施の形態１〜実施の形態５について説明したが、本発明のインペラは上述した実施の形態１〜実施の形態５の構成に限定されるものではない。
【００７３】
例えば、本発明の実施の形態１〜実施の形態５については、第１の羽根部の枚数、第２の羽根部の枚数、及びブレードの枚数を９枚とした構成について説明したが、第１の羽根部の枚数、第２の羽根部の枚数、及びブレードの枚数は、電動送風機の風量及びインペラの回転数の観点から好適に定めればよい。
【産業上の利用可能性】
【００７４】
本発明のインペラ及びそれを備えた電動送風機及び電気掃除機は、電動送風機の吸込み性能を向上させることができるとともに電動送風機の低騒音化を実現することができ、電気掃除機の吸込仕事率を向上させることが効能となるとともに低騒音な電気掃除機を実現することが可能となる、電動送風機を用いる家庭用電化機器、産業機器の分野・用途に公的に適用することができる。
【符号の説明】
【００７５】
１  インペラ
２  エアガイド
３  ファンケース
４  電動機
５  軸
６  反負荷側ブラケット
７  排気開口部
２０  前面シュラウド
２０ａ  吸気口
２０ｂ  嵌合孔部
２０ｃ  孔部
２１  後面シュラウド
２１ａ  嵌合孔部
２１ｂ  第４の開口部
２２  ブレード
２２ａ  嵌合突起部
２２ｂ  嵌合突起部
２３  インデューサ
２４  上部インデューサ
２５  リング部
２５ａ  第２の開口部
２５ｂ  凹部
２６  第１の羽根部
２７  下部インデューサ
２７ａ  第３の開口部
２８  土台部
２９  第２の羽根部
２９ａ  突起部
３０  軸部
３０ａ  凸部
３０ｂ  爪部
３１  スライド金型
３２  コア
３３  キャビティ
３４  溝部
１００  電動送風機
２００  電気掃除機
２０１  掃除機本体
２０２  吸込具
２０３  ホース
２０４  延長管
２０５  手元操作部
２０６  集塵部
【図９】
2012012937.tif 000003
【図１０】
2012012937.tif 000004
【図１１】
2012012937.tif 000005
【図１２】
2012012937.tif 000006
【図１】
2012012937.tif 000007
【図２】
2012012937.tif 000008
【図３】
2012012937.tif 000009
【図４】
2012012937.tif 000010
【図５】
2012012937.tif 000011
【図６】
2012012937.tif 000012
【図７】
2012012937.tif 000013
【図８】
2012012937.tif 000014